(57)【特許請求の範囲】
【請求項１】
吸気口と吹出口を有する本体ケースと、
前記本体ケース内に備えた前記吸気口と前記吹出口とを連通する風路と、
前記風路に設けた送風機と加湿部と、
前記本体ケースの上部に設けた天面パネルとを備え、
前記天面パネルは前記吹出口と連通する開口部を有し、
前記開口部には多数の孔を有した格子部を備え、
前記天面パネルは前記本体ケースに着脱自在であり、
前記本体ケースには前記天面パネルの着脱を検知する検知機構と、
前記検知機構の検知結果に応じて前記送風機の運転を制御する制御部とを有し、
前記本体ケースから前記天面パネルを取り外すことによって、前記吹出口から前記送風機内の掃除をすることができるように、前記制御部は、前記検知機構によって前記天面パネルが外れたことを検知すると前記送風機への通電を停止することを特徴とする加湿装置。
【請求項２】
前記検知機構は、
前記天面パネルからスライド移動方向に延びた突起部と、
前記突起部の先端と接触するリミットスイッチ部とを備えたことを特徴とする請求項１に記載の加湿装置。
【請求項３】
前記天面パネルは、前記本体ケースの上面に沿ってスライド移動させて着脱し、
前記制御部は、
前記天面パネルが前記本体ケースから外れる前に前記送風機への通電を停止することを特徴とする請求項１または２に記載の加湿装置。
【請求項４】
前記本体ケースの前記吹出口における内面から、前記本体ケースの上面に沿ってスライド移動させる方向に延びた穴を備え、
前記リミットスイッチ部は、
前記穴の奥に設けられたことを特徴とする請求項３に記載の加湿装置。
【請求項５】
前記本体ケースから前記天面パネルのスライド移動を防止するスライド防止部材を備えたことを特徴とする請求項２から４のいずれかに記載の加湿装置。
【請求項６】
前記スライド防止部材は、
前記本体ケース上部に備えたねじ穴部と、
前記天面パネルに設けたばね部とねじ部とを備え、
前記ねじ部は、
上下方向に延びる前記ねじ穴部に入り前記天面パネルと前記本体ケースとを固定し、
前記ばね部は、
前記ねじ部が前記ねじ穴部から外れると前記ねじ部を前記ねじ穴部より上方へ押し上げることを特徴とする請求項５に記載の加湿装置。
【発明の詳細な説明】
【技術分野】
【０００１】
本発明は、水槽に一部を浸した加湿フィルターを回転するとともに、加湿フィルターに通風して加湿する気化式の加湿装置に関するものである。
【背景技術】
【０００２】
従来、この種の加湿装置の一例として、加湿フィルターを円筒形状とし回転させることで、加湿フィルターの全部位が溜水内に浸水することを特徴とする加湿装置が知られている。（例えば、特許文献１、２参照）。
【０００３】
この加湿装置は、吸込口と吹出口を連通して形成される送風流路に送風空気を流通させる送風機を設けた本体と、この本体に設けたタンクから給水されるトレイと、トレイの溜水に常に一部を浸した状態に設けられた円筒形状の加湿フィルターとで構成されている。
【０００４】
そして、加湿フィルターは、加湿フィルター保持具に固定された状態で風路に保持され、駆動モーターによって加湿フィルター保持具を回転させることによって、加湿フィルターが水平方向を軸として回転するように構成されている。このような構成により、加湿フィルターが駆動モーターによって回転し、加湿フィルターの全表面が溜水を通過することで水分を帯びた状態となる。そして、送風機によって流通される送風空気が加湿フィルターを通過する際に、加湿フィルターに付着した水分を気化することで送風空気が高湿状態となり、吹出口より室内に放出されるものである。
【０００５】
そして、加湿フィルター保持具は、加湿フィルターが円筒形状を保たせる複数の円盤と、円盤を保持し保持する円盤保持具によって構成されており、円盤保持具は加湿フィルターに内接しているという構成となっている。
【先行技術文献】
【特許文献】
【０００６】
【特許文献１】特開２００６−２００７６２号公報
【特許文献２】特開２０１０−２８１５１８号公報
【発明の概要】
【発明が解決しようとする課題】
【０００７】
このような従来の加湿装置においては、加湿フィルターの全部位に付着した水分を確実に気化させることにより、より高湿度の空気を室内に供給できるものである。このような装置を、喫煙所等に設置された場合に、風路に黒い水滴が付着し、場合によっては本体の吹出口から黒い水滴のようなものが吹き出す場合がある。
【０００８】
詳しいことは分かっていないが、タバコのヤニが本体内の風路内に付着し、この風路を加湿された空気が通過すると、風路内に付着したヤニが黒い水滴に変化する。この黒い水滴が大きくなると、加湿手段の下流側に設けられた送風機によって、本体の吹出口から室内へ送風される場合があると考えられる。
【０００９】
また、本体の吹出口は、多数の孔を有した格子部を有しているので、風路内に付着した黒い水滴を掃除するのに手間が掛かるという課題を有していた。
【００１０】
本発明は上記課題を解決するものであり、風路内に付着した黒い水滴の掃除を容易にし、メンテナンス性を向上できる加湿装置を提供することを目的としている。
【課題を解決するための手段】
【００１１】
そして、この目的を達成するために、本発明は、吸気口と吹出口を有する本体ケースと、前記本体ケース内に備えた前記吸気口と前記吹出口とを連通する風路と、前記風路に設けた送風機と加湿部と、前記本体ケースの上部に設けた天面パネルとを備え、前記天面パネルは前記吹出口と連通する開口部を有し、前記開口部には多数の孔を有した格子部を備え、前記天面パネルは前記本体ケースに着脱自在であり、前記本体ケースには前記天面パネルの着脱を検知する検知機構と、前記検知機構の検知結果に応じて前記送風機の運転を制御する制御部とを有し、前記本体ケースから前記天面パネルを取り外すことによって、前記吹出口から前記送風機内の掃除をすることができるように、前記制御部は、前記検知機構によって前記天面パネルが外れたことを検知すると前記送風機への通電を停止することを特徴としたものであり、これにより所期の目的を達成するものである。
【発明の効果】
【００１２】
本発明によれば、吸気口と吹出口を有する本体ケースと、前記本体ケース内に備えた前記吸気口と前記吹出口とを連通する風路と、前記風路に設けた送風機と加湿部と、前記本体ケースの上部に設けた天面パネルとを備え、前記天面パネルは前記吹出口と連通する開口部を有し、前記開口部には多数の孔を有した格子部を備え、前記天面パネルは前記本体ケースに着脱自在であり、前記本体ケースには前記天面パネルの着脱を検知する検知機構と、前記検知機構の検知結果に応じて前記送風機の運転を制御する制御部とを有し、前記本体ケースから前記天面パネルを取り外すことによって、前記吹出口から前記送風機内の掃除をすることができるように、前記制御部は、前記検知機構によって前記天面パネルが外れたことを検知すると前記送風機への通電を停止するため、本体ケースから天面パネルを取り外すことによって、吹出口からお手入れできるので、風路に付着した黒い水滴の掃除を容易にし、メンテナンス性を向上することができる。また、誤って運転状態で本体ケースから天面パネルを外しても、制御部が送風機の運転を停止するので、安全性が向上する。
【図面の簡単な説明】
【００１３】
【図１】本発明の実施の形態１の加湿装置の斜視図
【図２】同加湿装置の斜視図
【図３】同加湿装置の天面パネルの平面図
【図４】同加湿装置の断面図
【図５】同加湿装置の斜視図
【図６】同加湿装置の斜視図
【図７】同加湿装置の上部の断面図
【図８】同加湿装置の上部の断面図
【図９】同加湿装置の上部の断面図
【図１０】同加湿装置の上部の断面図
【図１１】同加湿装置の上部の断面図
【発明を実施するための形態】
【００１４】
以下、本発明の実施形態について図面を参照しながら説明する。
【００１５】
（実施の形態１）
図１は、本発明の実施の形態１の加湿装置の斜視図であり、加湿装置を前面側から見た斜視図である。図２は、本発明の実施の形態１の加湿装置の斜視図であり、加湿装置の天面パネルを外し前面側から見た図である。
【００１６】
図１、図２に示すように、本実施形態の加湿装置においては、略箱形状の本体ケース１を備え、本体ケース１の両側面には略四角形状の吸気口２を有している。本体ケース１の前面には開閉可能な扉３を備え、扉を３開くと後述する本体ケース１内の加湿部を取り出すことが出来る。
【００１７】
本体ケース１は、上面の背面側には天面パネル４を備えている。天面パネルは、本体ケース１上面の吹出口５に設けられている。天面パネル４は、横長四角板形状で、中央に矩形状の中心軸が上下方向に延びた筒形状である開口部６を備えている。開口部６は、本体ケース１の吹出口５と連通している。
【００１８】
図３は、本発明の実施の形態１の加湿装置の平面図であり、加湿装置を上方から見た図である。
【００１９】
図３に示すように、天面パネル４の開口部６には、多数の孔を有した格子部７と、風向を変更する風向板８を備えている。格子部７は開口部６下部の水平に配置され、多数の孔は指が入らない大きさである。格子部７の上方には、複数の風向板が、本体ケース１における前後方向へ回動自在に設けられている。なお、格子部７は、異物や指が入らないように、カーバーするためのものであり、網目形状も含むものである。
【００２０】
図４は、本発明の実施の形態１の加湿装置の断面図であり、加湿装置を右側から見た図である。図５は、本発明の実施の形態１の加湿装置の斜視図であり、加湿装置の扉を開き、加湿部を引き出し前面側から見た図である。
【００２１】
図４、図５に示すように、本体ケース１内には、送風機９と、加湿部１０、風路１１とを備えている。
【００２２】
送風機９は、本体ケース１の背面側中央部に設けられ、モータ部１２とモータ部１２により回転するファン部１３とそれらを囲むケーシング部１４とを備えている。
【００２３】
ファン部１３は、シロッコファンで、モータ部１２から水平方向に延びたモータ軸（図示せず）に固定され、モータ部１２は、ケーシング部１４に固定されている。ケーシング部１４は、ケーシング部１４の本体ケース１における上面側に吐出口１５を備え、ケーシング部１４の本体ケース１における前面側に吸込口１６を有している。
【００２４】
加湿部１０は、水を貯水するトレイ部分１７と、トレイ部分１７に水を供給するタンク部分１８と、トレイ部分１７内の水に一部が浸漬したフィルター部分１９とを備えている。トレイ部分１７とフィルター部分１９は、送風機９より下方に配置されている。
【００２５】
トレイ部分１７は、天面を開口した箱形状をしており、水を貯水できる構造となっており、本体ケース１の下部に配置され、本体ケース１から水平方向にスライドして着脱可能となっている。
【００２６】
タンク部分１８は、本体ケース１内部の前面側に設置され、トレイ部分１７から着脱可能な構造となっている。タンク部分１８は、水を貯水する中空形状であるタンク２０と、タンク２０と一体となった取手２１とを備えている。
【００２７】
タンク２０は、下部にタンク開口（図示せず）を備え、このタンク開口をキャップ２２により密閉できる構造となっているが、トレイ部分１７にタンク２０を設置すると、キャップ２２に設けられた水栓（図示せず）が解放され、水がトレイ部分１７に供給される構造となっている。水面が水栓まで上昇してくると、水面によりタンク２０が密閉され、水の供給が停止し、常に一定量の水を供給することができる。
【００２８】
フィルター部分１９は、トレイ部分１７に貯水された水と、送風機９によって本体ケース１内に吸込まれた室内空気とを接触させる部材である。円筒状に構成され、円周部分に空気が流通可能な孔を備えたフィルター２３を配置し、その一端がトレイ部分１７の水に浸漬するように、フィルター２３の中心軸を回転中心としてトレイ部分１７に回転自在に内蔵されている。
【００２９】
そして、駆動部（図示しない）による回転され、水と室内空気を連続的に接触させる構造となっている。
【００３０】
風路１１は、吸気口２と吹出口５とを連通し、この風路１１には、吸気口２から順に、加湿部１０（トレイ部分１７、フィルター部分１９）、送風機９、吹出口５とを備えている。モータ部１２によってファン部１３が回転すると、吸気口２から風路１１内に入った外部の空気は、順に、加湿部１０であるフィルター２３、送風機９、吹出口５を介して、開口部６から吹き出される。
【００３１】
図２、図３に示すように、本実施形態における特徴は、天面パネル４が、吹出口５と連通する開口部６を有し、開口部６には多数の孔を有した格子部７を備え、天面パネル４は本体ケース１に着脱自在な点である。
【００３２】
これにより、通常の使用状態では、風路１１内に異物や指が本体内部に入らないので安全であり、本体ケース１から天面パネル４を取り外すことによって、直接吹き出し口が開口しているので、吹出口５からお手入れできるので、風路１１内に付着した黒い水滴の掃除を容易にすることができる。
【００３３】
図６は、本発明の実施の形態１の加湿装置の斜視図であり、加湿装置の天面パネルを外し背面側から見た図である。図７は、本発明の実施の形態１の加湿装置上部の断面図であり、加湿装置上部を、加湿装置の右側から見た図である。
【００３４】
図６、図７に示すように、本体ケース１には、天面パネル４の着脱を検知する検知機構２４と、検知機構２４の検知結果に応じて送風機９の運転を制御する制御部２５とを有している。制御部２５は、本体ケース１における前面側の上部に設けられている。
【００３５】
これにより、風路１１内に付着した黒い水滴を掃除する場合に、誤って運転状態で本体ケース１から天面パネル４を外しても、制御部２５が送風機９の運転を停止するので、安全性が向上する。仮に、惰性で回転しているファン部１３に触れても回転数が低下しているので、安全性が向上する。
【００３６】
検知機構２４は、突起部２６とリミットスイッチ部２７とを備えている。突起部２６は、天面パネル４の開口部６下部の前面側外面より、本体ケース１における前面側に延びた平板形状の突起である。リミットスイッチ部２７は、本体ケース１の吹出口５における前面側内面から、本体ケースにおける前面側に延びた穴２８の中に設けられている。
【００３７】
本体ケース１の吹出口５に天面パネル４が装着された状態では、天面パネル４の突起部２６が本体ケース１の吹出口５の穴２８に入り、突起部２６の先端がリミットスイッチ部２７と接触した状態である。
【００３８】
図８は、本発明の実施の形態１の加湿装置上部の断面図であり、加湿装置の吹出口から天面パネルを背面方向へスライドさせた状態で、加湿装置の右側から見た図である。
【００３９】
図８に示すように、本体ケース１の吹出口５に天面パネル４が装着された状態から、天面パネル４を背面方向へスライドさせると（１）、天面パネル４の突起部２６が本体ケース１の吹出口５の穴２８から抜け、突起部２６の先端がリミットスイッチ部２７から離れた状態となる。制御部２５は、突起部２６の先端がリミットスイッチ部２７から離れると、送風機９への通電を停止する。
【００４０】
図９は、本発明の実施の形態１の加湿装置上部の断面図であり、加湿装置の吹出口から天面パネルを外した状態で、加湿装置の右側から見た図である。
【００４１】
図９に示すように、吹出口５から天面パネル４を背面方向へスライドさせた状態から、天面パネル４を上方へ持ち上げると、本体ケース１の吹出口５から天面パネル４が外れた状態となる。
【００４２】
このように、本体ケース１の吹出口５に天面パネル４が装着された状態から、天面パネル４を外す場合には、２つの動作が必要となる。１つ目の動作（１）は、天面パネル４を背面方向へスライドさせ、天面パネル４の突起部２６を本体ケース１の吹出口５の穴２８から抜く動作である。２つ目の動作（２）は、吹出口５から天面パネル４を背面方向へスライドさせた状態から、天面パネル４を上方へ持ち上げる動作である。
【００４３】
このように、２つの動作を行わないと、本体ケース１の吹出口５から天面パネル４が外れないので、突起部２６の先端がリミットスイッチ部２７から離れ、制御部２５が送風機９への通電を停止してから、天面パネル４が外れるまでの時間が長くなる。これにより、風路１１に付着した黒い水滴を掃除する場合に、誤って運転状態で本体ケース１から天面パネル４を外しても、制御部２５が送風機９への通電を停止後に、惰性で回転しているファン部１３の回転数を下げることができ、安全性が向上する。
【００４４】
また、天面パネル４は、本体ケース１の上面に沿ってスライド移動させて着脱する。ここで、制御部２５は、天面パネル４が本体ケース１から外れる前に送風機９への通電を停止する。具体的には、本体ケース１の吹出口５における内面から、本体ケース１の上面に沿ってスライド移動させる方向に延びた穴２８を備え、この穴２８の奥にリミットスイッチ部２７を備えている。
【００４５】
このように、本体ケース１の吹出口５に天面パネル４が装着された状態から、天面パネル４を背面方向へスライドさせると、天面パネル４の突起部２６が本体ケース１の吹出口５の穴２８から抜ける前に、突起部２６の先端がリミットスイッチ部２７から離れた状態となる。結果として、制御部２５は、天面パネル４の突起部２６が本体ケース１の吹出口５の穴から抜ける前に、送風機９への通電を停止するものである。
【００４６】
これにより、突起部２６の先端がリミットスイッチ部２７から離れ、制御部２５が送風機９への通電を停止してから、天面パネル４が外れるまでの時間が長くなるので、惰性で回転しているファン部１３の回転数を更に下げることができ、風路１１内に付着した黒い水滴を掃除する場合に誤って運転状態で本体ケース１から天面パネル４を外しても、更に安全性が向上する。
【００４７】
また、本体ケース１の吹出口５における内面から、本体ケース１の上面に沿ってスライド移動させる方向（水平方向）に延びた穴２８を備え、この穴２８の奥にリミットスイッチ部２７を備えているので、天面パネル４を外して風路１１内に付着した黒い水滴を掃除する場合に、誤って水をこぼしても、リミットスイッチ部２７に水が入り難いので、安全性が向上する。
【００４８】
図１０は、本発明の実施の形態１の加湿装置上部の断面図であり、加湿装置の吹出口に天面パネルを装着し、ねじ部をねじ穴部に締結する前の状態で、加湿装置の右側から見た図である。
【００４９】
図１０に示すように、本体ケース１から天面パネル４のスライド移動を防止するスライド防止部材２９を備えている。具体的には、スライド防止部材２９は、本体ケース１上部に備えたねじ穴部３０と、天面パネルに設けたねじ受け部３１と、ねじ部３２と、ばね部３３と、ねじ抜け防止部３４とを備えている。
【００５０】
ねじ受け部３１は、天面パネル４の格子部７に設けられた水平面を有する平板３５に、上面から下方に延びた円筒形の溝３６と、溝の中央にねじ部のねじ山を備えた軸部分が通る孔（図示せず）を備えたものである。このねじ受け部３１に、ねじ部３２と、ばね部３３と、ねじ抜け防止部３４が装着されている。具体的には、ねじ部３２の雄ねじ部分に、コイル状の圧縮ばねであるばね部３３を通し、ばね部３３の下部が溝３６に入り込むように、雄ねじ部分の先端をねじ受け部３１の孔から下方へ突出するように通す。雄ねじ部分の先端付近に、ねじ抜け防止部３４を装着する。ねじ抜け防止部３４の１例は樹脂性のワッシャーである。
【００５１】
図１１は、本発明の実施の形態１の加湿装置上部の断面図であり、加湿装置の吹出口に天面パネルを装着し、ねじ部をねじ穴部に締結した状態で、加湿装置の右側から見た図である。
【００５２】
図１１に示すように、天面パネル４を本体ケースに固定する場合には、天面パネル４を本体ケース１の上面に沿ってスライド移動させて装着し、ここで、ばね部３３を撓ませながらねじ部３２を締めると、雄ねじ部分の先端が本体ケース１上部に備えたねじ穴部３０に締結される。
【００５３】
このように、本体ケース１から天面パネル４のスライド移動を防止するスライド防止部材２９を備えることにより天面パネル４を本体ケース１に固定できる。これにより、メンテナンス以外は容易に天面パネル４の取り外しが出来きず、確実に運転を継続できる。
【００５４】
図１０に示すように、天面パネル４を本体ケース１から外す場合には、ねじ部３２を緩める。すると、雄ねじ部分がねじ穴部３０の雌ねじ部分から外れると、ばね部３３によってねじ部３２が、ねじ穴部３０の上方へ移動する。
【００５５】
ねじ部３２は、上下方向に延びるねじ穴部３０に入り天面パネル４と本体ケース１とを固定し、ばね部３３は、ねじ部３２がねじ穴部３０から外れるとねじ部３２をねじ穴部３０より上方へ押し上げるので、天面パネル４を本体ケース１の上面に沿ってスライド移動させことができる。
【００５６】
ねじ部３２がねじ穴部３０から外れるとばね部３３によりねじ部３２をねじ穴部３０より上方へ押し上げ、ねじ穴部３０とねじ部３２を確実に分離することができる。これにより、ねじ穴部３０とねじ部３２を確実に分離するため、ねじ穴部３０とねじ部３２の先端が引っ掛かることなく、天面パネル４をスライドして取り外す際に取り外しやすくなる。
【産業上の利用可能性】
【００５７】
本発明は、加湿フィルターに通風して加湿する気化式の加湿装置として適している。
【符号の説明】
【００５８】
１    本体ケース
２    吸気口
３    扉
４    天面パネル
５    吹出口
６    開口部
７    格子部
８    風向板
９    送風機
１０    加湿部
１１    風路
１２    モータ部
１３    ファン部
１４    ケーシング部
１５    吐出口
１６    吸込口
１７    トレイ部分
１８    タンク部分
１９    フィルター部分
２０    タンク
２１    取手
２２    キャップ
２３    フィルター
２４    検知機構
２５    制御部
２６    突起部
２７    リミットスイッチ部
２８    穴
２９    スライド防止部材
３０    ねじ穴部
３１    ねじ受け部
３２    ねじ部
３３    ばね部
３４    ねじ抜け防止部
３５    平板
３６    溝
【図１】
0006715434.tif 000002
【図２】
0006715434.tif 000003
【図３】
0006715434.tif 000004
【図４】
0006715434.tif 000005
【図５】
0006715434.tif 000006
【図６】
0006715434.tif 000007
【図７】
0006715434.tif 000008
【図８】
0006715434.tif 000009
【図９】
0006715434.tif 000010
【図１０】
0006715434.tif 000011
【図１１】
0006715434.tif 000012